(57)【要約】【課題】厚み方向に複数の記録層を持つ光ディスクに対してトラッキング調整を行う場合であっても、受光手段の受光面上に投影される所望の記録層からのスポットに干渉縞を発生させず、トラッキング制御に用いる信号の精度を上げてトラッキング制御の精度を高めることができる光ピックアップ装置を提供することを目的とする。【解決手段】レーザ光を出射する光源１と、レーザ光を少なくとも第１記録層１０１ａと第２記録層１０１ｂとからなる光ディスク１０１に集光する対物レンズ５と、対物レンズ５を介して光ディスク１０１からの反射光を受光するＯＥＩＣ７と、対物レンズ５の光ディスク１０１と対向する面の略中央に配置され、レーザ光の少なくとも一部に非点収差を発生させる非点収差調整部５ａと、を具備することを特徴とする。【選択図】図１
2010129133.tif 000002
【特許請求の範囲】
【請求項１】
レーザ光を出射する光源と、
前記レーザ光を少なくとも第１記録層と第２記録層とからなる光ディスクに集光する対物レンズと、
前記対物レンズを介して前記光ディスクからの反射光を受光する受光手段と、
前記対物レンズの前記光ディスクと対向する面の略中央に配置され、前記レーザ光の少なくとも一部に非点収差を発生させる非点収差発生手段と、を具備することを特徴とする光ピックアップ装置。
【請求項２】
前記非点収差発生手段は、前記光ディスクに対向する面が円筒面で構成されていることを特徴とする請求項１記載の光ピックアップ装置。
【請求項３】
前記受光手段は、直線状に配置された少なくとも３つの受光領域から形成され、
前記非点収差発生手段を通過した前記光ディスクからの反射光は略楕円形状であり、
前記略楕円形状の長径方向は、前記少なくとも３つの受光領域を結ぶ直線に対して略４５°の傾きを有することを特徴とする請求項２記載の光ピックアップ装置。
【発明の詳細な説明】
【技術分野】
【０００１】
本発明は、光ディスクに情報の記録または再生の少なくとも一方を行う光ピックアップ装置に関するものである。
【背景技術】
【０００２】
現在、光ディスクは、高密度記録を実現できるように、光ディスクの厚み方向に複数の記録層を持つものが増えてきた。この厚み方向に複数の記録層を持つ光ディスクに記録、もしくはこの厚み方向に複数の記録層を持つ光ディスクを再生する場合、所望の記録層からの反射光に他の記録層からの反射光が迷光として加わる。このとき、光ディスク装置は、所望の記録層からの反射光と他の記録層からの反射光と同時に受光部に入射した状態で、トラッキング制御をする必要がある。
【特許文献１】特開２００７−００４８６７号公報
【発明の開示】
【発明が解決しようとする課題】
【０００３】
しかしながら、所望の記録層からの反射光と他の記録層からの反射光とが同時に受光部に入射した場合、その受光部に入射した反射光を用いてトラッキング調整を行おうとすると、トラッキング制御に支障をきたす場合があるという問題があった。
【０００４】
特に、ブルーレイディスクに記録する、もしくはブルーレイディスクを再生する場合、ブルーレイディスクはその基材厚が薄く各記録層間の距離が接近しているので、所望の記録層からの反射光に他の記録層からの反射光が迷光として加わりやすい。
【０００５】
図８は、所望の記録層からの反射光と他の記録層からの反射光とが同時に受光部に入射する様子を示す図である。図８（ａ）は所望の記録層からの反射光と他の記録層からの反射光とが同時に受光部に入射する様子を示し、図８（ｂ）は受光領域に投影される干渉縞の様子を示す図である。図８において、１１〜１３は受光領域である。
【０００６】
光ピックアップの受光部は、受光領域１１，受光領域１２，受光領域１３の３つの受光領域から形成されている。
【０００７】
光源から出射されたレーザ光は、回折素子で１つのメインレーザ光と２つのサブレーザ光の合計３つに分割されて光ディスクに照射される。そして、光ディスクに照射された３つのレーザ光は光ディスクで反射される。
【０００８】
光ディスクから反射された反射光のうち、所望の記録層からの反射光は、１つのメインレーザ光と２つのサブレーザ光の合計３つに分割されたまま、各々、受光領域１１，受光領域１２，受光領域１３に入射する。また、光ディスクから反射された反射光のうち、所望の記録層以外で反射された反射光も、１つのメインレーザ光と２つのサブレーザ光の合計３つに分割されたまま、光ピックアップの受光部に入射する。このとき、他の記録層からの反射光は、フォーカス位置が最適でないので、受光領域に投影される反射光のスポット形状は所望の記録層からの反射光のスポット形状に比べて大きくなる。
【０００９】
このため、所望の記録層からの反射光と他の記録層からの反射光とが同時に受光部に入射する場合、図８（ａ）に示す状態になる。ここで、受光領域１１のみに入射する光は所望の記録層からのメインレーザ光，受光領域１２と受光領域１３のみに入射する光は所望の記録層からのサブレーザ光，受光領域１１と受光領域１２と受光領域１３の全てに入射する光は、他の記録層からのメインレーザ光となる。
【００１０】
受光領域１１では所望の記録層からのメインレーザ光によるスポットと他の記録層からのメインレーザ光によるスポットとが干渉し、受光領域１１の受光面上で図８（ｂ）に示す干渉縞が発生する。また、受光領域１２では所望の記録層からのサブレーザ光と他の記録層からのメインレーザ光とが干渉し、受光領域１２の受光面上で図８（ｂ）に示す干渉縞が発生する。また、受光領域１３では所望の記録層からのサブレーザ光と他の記録層からのメインレーザ光とが干渉し、受光領域１３の受光面上で図８（ｂ）に示す干渉縞が発生する。
【００１１】
このように、受光領域１１，受光領域１２，受光領域１３のそれぞれの領域で干渉縞が発生すると受光領域上の光量分布に誤差が生じてしまい、トラッキング制御に支障をきたす場合があるという問題があった。
【００１２】
本発明は、上記課題を解決するためになされたものであり、厚み方向に複数の記録層を持つ光ディスクに対してトラッキング調整を行う場合であっても、受光手段の受光面上に投影される所望の記録層からのスポットに干渉縞を発生させず、トラッキング制御に用いる信号の精度を上げてトラッキング制御の精度を高めることができる光ピックアップ装置を提供することを目的とする。
【課題を解決するための手段】
【００１３】
本発明は上記課題を解決するためになされたものであって、レーザ光を出射する光源と、レーザ光を少なくとも第１記録層と第２記録層とからなる光ディスクに集光する対物レンズと、対物レンズを介して光ディスクからの反射光を受光する受光手段と、対物レンズの光ディスクと対向する面の略中央に配置され、レーザ光の少なくとも一部に非点収差を発生させる非点収差発生手段と、を具備することを特徴とするものである。
【発明の効果】
【００１４】
本発明は上記構成により、所望の記録層からの反射光に他の記録層からの反射光が迷光として加わった際、他の記録層からの反射光のうち単位面積当たりの光量が大きい光、すなわち非点収差発生手段を通過する他の記録層からの反射光に非点収差を発生させて、他の記録層から反射光のうち光量が大きい光を特定の受光領域に入射させないので、所望の記録層からの反射光によって特定の受光領域上に形成されるスポットに干渉縞を発生させない。その結果、厚み方向に複数の記録層を持つ光ディスクに対してトラッキング調整を行う場合であっても、受光手段の受光面上に投影される所望の記録層からのスポットに干渉縞を発生させないので、トラッキング制御に用いる信号の精度を上げてトラッキング制御の精度を高めることができる光ピックアップ装置を実現できる。
【発明を実施するための最良の形態】
【００１５】
請求項１記載の発明は、レーザ光を出射する光源と、レーザ光を少なくとも第１記録層と第２記録層とからなる光ディスクに集光する対物レンズと、対物レンズを介して光ディスクからの反射光を受光する受光手段と、対物レンズの光ディスクと対向する面の略中央に配置され、レーザ光の少なくとも一部に非点収差を発生させる非点収差発生手段と、を具備することを特徴とするものである。これにより、所望の記録層からの反射光に他の記録層からの反射光が迷光として加わった際、他の記録層からの反射光のうち単位面積当たりの光量が大きい光、すなわち他の記録層からの反射光のうち非点収差発生手段を通過する反射光に非点収差を発生させて、他の記録層から反射光のうち光量が大きい光を特定の受光領域に入射させないので、所望の記録層からの反射光によって特定の受光領域上に形成されるスポットに干渉縞を発生させない。その結果、厚み方向に複数の記録層を持つ光ディスクに対してトラッキング調整を行う場合であっても、受光手段の受光面上に投影される所望の記録層からのスポットに干渉縞を発生させないので、トラッキング制御に用いる信号の精度を上げてトラッキング制御の精度を高めることができる光ピックアップ装置を実現できる。また、対物レンズの光ディスクと対向する面に非点収差発生手段を配置するので、光学部品群に入る直前、すなわち受光手段から光路上最も遠い位置で、他の記録層からの反射光に非点収差を発生させることができ、所望の記録層からの反射光によって特定の受光領域上に形成されるスポットに対して確実に干渉縞を発生させない。
【００１６】
請求項２記載の発明は、非点収差発生手段の光ディスクに対向する面が円筒面で構成されていることを特徴とするものである。これにより、非点収差発生手段を構成する材料の構成比率によって非点収差発生手段各部の屈折率を変化させて非点収差を発生させることなく、非点収差発生手段の形状によって非点収差を発生させるので、容易な構成で精度良い非点収差を発生させることができる。
【００１７】
請求項３記載の発明は、受光手段が直線状に配置された少なくとも３つの受光領域から形成され、非点収差発生手段を通過した光ディスクからの反射光は略楕円形状であり、略楕円形状の長径方向は、少なくとも３つの受光領域を結ぶ直線に対して略４５°の傾きを有することを特徴とするものである。これにより、他の記録層からの反射光のうち単位面積当たりの光量が大きい光、すなわち他の記録層からの反射光のうち非点収差発生手段を通過する反射光に非点収差を発生させて、他の記録層からの反射光のうち光量が大きい光を特定の受光領域から最も遠い位置に向かわせて確実に特定の受光領域に入射させないので、所望の記録層からの反射光によって特定の受光領域上に形成されるスポットに対して確実に干渉縞を発生させない。
【００１８】
（実施の形態１）
以下、本発明の実施の形態１について、図面を参照しながら説明する。
【００１９】
なお、本実施の形態１では、厚み方向に複数の記録層を持つ光ディスクを２層の記録層を持つ光ディスクとして説明する。また、情報の記録または再生を行う記録層を記録層１０１ａ、情報の記録または再生を行わない記録層を記録層１０１ｂとし、記録層１０１ａを所望の記録層、記録層１０１ｂを他の記録層として説明する。
【００２０】
図１は、本発明の実施の形態１における光ピックアップ装置の構成図である。図１において、１は光源，２は回折格子，３はコリメータレンズ，４は分割素子，５は対物レンズ，５ａは非点収差変調部，６は検出レンズ，７はＯＥＩＣ（Ｏｐｔｏ−Ｅｌｅｃｔｒｏｎｉｃ  Ｉｎｔｅｇｒａｔｅｄ  Ｃｉｒｃｕｉｔ、以下、単にＯＥＩＣと呼ぶ），１０１は光ディスク，１０１ａは記録層，１０１ｂは記録層である。なお、本実施の形態１における光源は光源１，対物レンズは対物レンズ５，受光手段はＯＥＩＣ７，非点収差発生手段は非点収差変調部５ａに相当する。
【００２１】
光源１は、波長４０５ｎｍのレーザ光を発するＢＤ（Ｂｌｕ−ｒａｙ  Ｄｉｓｃ、以下単にＢＤと呼ぶ）用の半導体レーザと、波長約６５０ｎｍのレーザ光を発するＤＶＤ（Ｄｉｇｉｔａｌ  Ｖｅｒｓａｔｉｌｅ  Ｄｉｓｃ、以下単にＤＶＤと呼ぶ）用の半導体レーザと、波長約７８０ｎｍのレーザ光を発するＣＤ（Ｃｏｍｐａｃｔ  Ｄｉｓｃ、以下単にＣＤと呼ぶ）用の半導体レーザと、が収納されている。光ディスク装置は、装着された光ディスク１０１に対応するレーザ光を出射する。
【００２２】
光源１から出射されたレーザ光は回折格子２に入射後、１つのメインレーザ光と２つのサブレーザ光の合計３つに分割される。分割された３つのレーザ光は、コリメータレンズ３に入射して発散光から平行光に変換される。その後、分割された３つのレーザ光は分割素子４で反射され、対物レンズ５に導かれる。対物レンズ５に導かれた３つのレーザ光は、光ディスク１０１の記録面１０１ａ、すなわち所望の記録層に集光される。その後、光ディスク１０１の記録面１０１ａで反射された３つのレーザ光は、対物レンズ５を経由して分割素子４に導かれる。
【００２３】
分割素子４は、光源１から入射する光を対物レンズ５の方向に反射させると共に、対物レンズ５から入射する光を透過させる特性を有するので、対物レンズ５を経由して分割素子４に導かれた３つのレーザ光は、分割素子４を透過して検出レンズ６に入射する。検出レンズ６に入射した３つのレーザ光は、ここで、それぞれ集束されてＯＥＩＣ７の受光面上に到達する。
【００２４】
ここで、本発明の特徴部分について説明する。
【００２５】
光ディスク１０１と対物レンズ５の間には、光源１から出射されたレーザ光の少なくとも一部に非点収差を発生させる非点収差発生手段が設けられている。本実施の形態１の場合、この非点収差発生手段は非点収差変調部５ａに相当する。
【００２６】
次に、非点収差変調部５ａが設けられた対物レンズ５の詳細について説明する。
【００２７】
図２は、本発明の実施の形態１における対物レンズの上面と側面を示す図である。図２（ａ）は対物レンズの上面図を示し、図２（ｂ）は対物レンズの断面図を示している。図２において、５は対物レンズ，５ａは非点収差変調部，５ｅはレンズコバ部，５ｄは集光部，１０１は光ディスク，１０１ａは記録層，１０１ｂは記録層である。なお、図２（ｂ）においては、記録層１０１ａからの反射光のメインレーザ光を実線、記録層１０１ｂからの反射光のメインレーザ光を破線で示す。
【００２８】
対物レンズ５は、レーザ光を集光させる略球面状の集光部５ｄと、トラッキング制御もしくはフォーカス制御ができるように対物レンズ５をホルダ（図示せず）に固定するレンズコバ部５ｅとから形成されている。集光部５ｄは、略球面の内部を通る３つのレーザ光の光軸が光ディスク１０１の記録面１０１ａ，記録面１０１ｂに対して略垂直になるように配置されている。そして、この集光部５ｄの光ディスク１０１に対向する面には、非点収差変調部５ａが設けられている。この非点収差変調部５ａは、その非点収差変調部５ａを通過する光に非点収差を発生させる機能を有しているので、対物レンズ５を通過する光の少なくとも一部は、非点収差が発生することになる。
【００２９】
厚み方向に複数の記録層を持つ光ディスク１０１に記録、もしくはこの厚み方向に複数の記録層を持つ光ディスクを再生する場合、光ディスク１０１からの反射光は、所望の記録層である記録層１０１ａからの反射光に加え、他の記録層である記録層１０１ｂからの反射光も含まれている。そして、記録層１０１ａからの反射光と記録層１０１ｂからの反射光とは、対物レンズ５を経由して、少なくとも分割素子４と検出レンズ６などで構成される光学部品群の光路上に入射する。
【００３０】
ここで、対物レンズ５の略中央には非点収差変調部５ａが設けられているので、記録層１０１ａからの反射光と記録層１０１ｂからの反射光は、非点収差変調部５ａにより、それぞれの反射光のうち単位面積当たりの光量が大きい領域に非点収差が発生する。そして、記録層１０１ａからの反射光と記録層１０１ｂからの反射光は、対物レンズ５を通過した際の非点収差成分を維持したまま分割素子４に向かう。
【００３１】
図３は、本発明の実施の形態１における対物レンズの上面と断面を示す図である。図３（ａ）は対物レンズの上面図を示し、図３（ｂ）は図３（ａ）に示す対物レンズのＩ−Ｉ´断面図、図３（ｃ）は図３（ａ）に示す対物レンズのＪ−Ｊ´断面図、図３（ｄ）は図３（ａ）に示す対物レンズのＫ−Ｋ´断面図である。図３において、５は対物レンズ，５ａは非点収差変調部，５ｄは集光部，５ｅはレンズコバ部である。
【００３２】
非点収差変調部５ａは、対物レンズ５の光ディスク１０１と対向する面の略中央に配置され、光ディスク１０１からの反射光の少なくとも一部に非点収差を発生させる。これにより、記録層１０１ａからの反射光に記録層１０１ｂからの反射光が迷光として加わり対物レンズ５に入射する際、記録層１０１ｂの反射光のうち単位面積当たりの光量が大きい領域、すなわち非点収差変調部５ａを通過する他の記録層からの反射光に非点収差を発生させる。また同時に、記録層１０１ａの反射光のうち単位面積当たりの光量が大きい領域、すなわち非点収差変調部５ａを通過する所望の記録層からの反射光に非点収差を発生させる。
【００３３】
また、非点収差変調部５ａは、円柱を軸方向に２つに割った形いわゆるシリンドリカル形状をしており、光ディスク１０１に対向する面が円筒面で構成されている。これにより、非点収差変調部５ａで非点収差を発生させる場合に、非点収差変調部５ａを構成する材料の構成比率によって非点収差変調部５ａ各部の屈折率を変化させて非点収差を発生させることなく、非点収差変調部５ａの形状によって非点収差を発生させるので、容易な構成で精度良い非点収差を発生させることができる。
【００３４】
さらに、非点収差変調部５ａは、樹脂、ガラスなどの材料を用いて対物レンズ５と一体成型されているので、非点収差変調部５ａの対物レンズ５に対する位置を安定させることができる。
【００３５】
図４は、本発明の実施の形態１における所望の記録層からの反射光と他の記録層からの反射光とが同時に分割素子に入射する様子を示す図であり、所望の記録層からの反射光と他の記録層からの反射光とが入射する方向、すなわち図１に示すＬ方向から見た図である。図４において、４は分割素子、４１ａ，４１ｂ，４２ａ，４２ｂ，４３ａ，４３ｂ，４４ａ，４４ｂは領域である。
【００３６】
記録層１０１ａからのメインレーザ光により分割素子４上に投影される領域は、領域４１ａ，領域４１ｂである。領域４１ａは、記録層１０１ａからのメインレーザ光が対物レンズ５の略中央に位置する非点収差変調部５ａを通過して到達するので、記録層１０１ａからのメインレーザ光のうち単位面積当たりの光量が大きい光が届く領域である。また、領域４１ｂは、記録層１０１ａからのメインレーザ光が対物レンズ５の非点収差変調部５ａ以外を通過して到達するので、記録層１０１ａからのメインレーザ光のうち単位面積当たりの光量が、小さい光が届く領域である。
【００３７】
また、記録層１０１ａからのサブレーザ光により分割素子４上に投影される領域は、領域４２ａ，領域４２ｂ，領域４３ａ，領域４３ｂである。領域４２ａ，領域４３ａは、記録層１０１ａからのメインレーザ光が対物レンズ５の略中央に位置する非点収差変調部５ａを通過して到達するので、記録層１０１ａからのメインレーザ光のうち単位面積当たりの光量が大きい光が届く領域である。また、領域４２ｂ，領域４３ｂは記録層１０１ａからのメインレーザ光が対物レンズ５の非点収差変調部５ａ以外を通過して到達するので、記録層１０１ａからのメインレーザ光のうち単位面積当たりの光量が、小さい光が届く領域である。
【００３８】
また、記録層１０１ｂからのメインレーザ光により分割素子４上に投影される領域は、領域４４ａである。領域４４ａは、記録層１０１ｂからのメインレーザ光が対物レンズ５の略中央に位置する非点収差変調部５ａを通過して到達するので、記録層１０１ａからのメインレーザ光のうち単位面積当たりの光量が大きい光が届く領域である。また、領域４４ｂは、記録層１０１ｂからのメインレーザ光のうち単位面積当たりの光量が、小さい光が届く領域である。
【００３９】
図５は、本発明の実施の形態１における所望の記録層からの反射光と他の記録層からの反射光とが同時に検出レンズに入射する様子を示す図であり、所望の記録層からの反射光と他の記録層からの反射光とが入射する方向、すなわちＭ方向から見た図である。図５において、６は検出レンズ，６１ａ，６１ｂ，６１ｃ，６２ａ，６２ｂ，６２ｃ，６３ａ，６３ｂ，６３ｃ，６４ａ，６４ｂは領域である。
【００４０】
記録層１０１ａからのメインレーザ光により検出レンズ６上に投影される領域は、領域６１ａ，領域６１ｂである。領域６１ａは、記録層１０１ａからのメインレーザ光が対物レンズ５の略中央に位置する非点収差変調部５ａを通過して到達するので、記録層１０１ａからのメインレーザ光のうち単位面積当たりの光量が大きい光が届く領域である。また、領域６１ｂは、記録層１０１ａからのメインレーザ光が対物レンズ５の非点収差変調部５ａ以外を通過して到達するので、記録層１０１ａからのメインレーザ光のうち単位面積当たりの光量が、小さい光が届く領域である。
【００４１】
また、記録層１０１ａからのサブレーザ光により検出レンズ６上に投影される領域は、領域６２ａ，領域６２ｂ，領域６３ａ，領域６３ｂである。領域６２ａ，領域６３ａは、記録層１０１ａからのメインレーザ光が対物レンズ５の略中央に位置する非点収差変調部５ａを通過して到達するので、記録層１０１ａからのメインレーザ光のうち単位面積当たりの光量が大きい光が届く領域である。また、領域６２ｂ，領域６３ｂは記録層１０１ａからのメインレーザ光が対物レンズ５の非点収差変調部５ａ以外を通過して到達するので、記録層１０１ａからのメインレーザ光のうち単位面積当たりの光量が、小さい光が届く領域である。
【００４２】
また、記録層１０１ｂからのメインレーザ光により検出レンズ６上に投影される領域は、領域６４ａである。領域６４ａは、記録層１０１ｂからのメインレーザ光が対物レンズ５の略中央に位置する非点収差変調部５ａを通過して到達するので、記録層１０１ａからのメインレーザ光のうち単位面積当たりの光量が大きい光が届く領域である。また、領域６４ｂは、記録層１０１ｂからのメインレーザ光のうち単位面積当たりの光量が、小さい光が届く領域である。
【００４３】
図６は、本発明の実施の形態１における所望の記録層からの反射光と他の記録層からの反射光とが同時に受光部に入射する様子を示す図である。図６（ａ）は所望の記録層からの反射光と他の記録層からの反射光とが同時に受光領域に入射する様子を示し、図６（ｂ）は所望の記録層からの反射光によって特定の受光領域に形成されるスポットに干渉縞が発生しない様子を示す図である。図６において、１１〜１３は受光領域、１４〜１９は領域である。
【００４４】
ＯＥＩＣ７の受光部は、受光領域１１，受光領域１２，受光領域１３の３つの受光領域から形成されている。
【００４５】
光源１から出射されたレーザ光は、回折素子２で１つのレーザ光と２つのレーザ光の合計３つに分割されて光ディスク１０１に照射される。そして、光ディスク１０１に照射された３つのレーザ光は光ディスク１０１で反射される。
【００４６】
光ディスク１０１から反射された反射光のうち、所望の記録層である記録層１０１ａからの反射光は、１つのメインレーザ光と２つのサブレーザ光の合計３つに分割されたまま、分割素子４，検出レンズ６を経由してＯＥＩＣ７に向かう。その後、ＯＥＩＣ７では、１つのメインレーザ光はＯＥＩＣ７の受光領域である受光領域１１、２つのサブレーサ光はＯＥＩＣ７の受光領域である受光領域１２と受光領域１３に入射する。
【００４７】
一方、光ディスク１０１から反射された反射光のうち、他の記録層である記録層１０１ｂからの反射光も、１つのメインレーザ光と２つのサブレーザ光の合計３つに分割されたまま、ＯＥＩＣ７の受光領域に入射する。このとき、対物レンズ５のフォーカス方向の位置は記録層１０１ａに対して最適になるように調整されているので、記録層１０１ｂからの反射光はフォーカスが最適になっていない状態である。このため、ＯＥＩＣ７の受光領域に投影される記録層１０１ｂからの反射光は、そのスポット形状が記録層１０１ａからの反射光のスポット形状に比べて大きくなる。
【００４８】
本発明では、対物レンズ５の光ディスク１０１と対向する面の略中央に非点収差変調部５ｂが設けられている。そのため、記録層１０１ａからの反射光と記録層１０１ｂからの反射光は、対物レンズ５を経由してＯＥＩＣ７に投影される際に、投影される位置に応じて非点収差の有無がある状態でＯＥＩＣ７に到達する。記録層１０１ａからの反射光は、受光領域１１，１２，１３上の中心領域、すなわち領域１４，１５，１６に非点収差の有る光が投影され、その領域１４，１５，１６を中心にその周りを取り囲むように非点収差のない光が投影される。
【００４９】
ここで、対物レンズ５のフォーカス方向の位置は記録層１０１ａに対して最適になるように調整されているので、受光領域に投影される記録層１０１ｂからの反射光のスポット形状は、記録層１０１ａからの反射光のスポット形状に比べて大きくなる。また、記録層１０１ｂからの反射光のうち単位面積当たりの光量が大きい光、すなわち非点収差変調部５ａを通過する他の記録からの反射光は非点収差成分を持つことになる。そのため、受光領域１１には、記録層１０１ａからの反射光と、記録層１０１ｂからの反射光のうち非点収差変調部５ａを通過した反射光とが投影される。
【００５０】
また、受光領域１２，１３には、記録層１０１ａからの反射光と、記録層１０１ｂからの反射光のうち非点収差変調部５ａ以外を通過した光とが投影される。記録層１０１ｂからの反射光のうち非点収差変調部５ａ以外を通過した光は、記録層１０１ｂと対物レンズ５がフォーカスエラーになっていることに起因して小さくなっていることと、光量が大きい領域が除去されていることにより、ほとんど光量を持たない光になっている。これにより、受光領域１２，１３に投影される光は、実質、記録層１０１ａからの反射光のみとなる。
【００５１】
このように、本発明では、記録層１０１ａからの反射光に記録層１０１ｂからの反射光が迷光として加わった際、特定の受光領域である受光領域１２，１３に記録層１０１ｂの反射光を入射させないので、対物レンズ５のトラッキング制御信号を生成する上で重要な受光領域１２，１３上に形成されるスポットに干渉縞を発生させない。
【００５２】
また、受光領域１１，１２，１３に投影される記録層１０１ａからの反射光のスポット形状は、その中心領域すなわち領域１４，１５，１６が非点収差の影響を受けて略楕円形状になる。この楕円形状のときのフォーカス制御信号を基準値にする、すなわち、この楕円形状のときのフォーカスエラーが０になるようにフォーカスエラー信号にオフセットを加えることにより、フォーカス制御に影響を与えないトラッキング制御を実現できる。
【００５３】
以上の内容により、対物レンズ５の光ディスク１０１と対向する面の略中央に、レーザ光の少なくとも一部に非点収差を発生させる非点収差変調部５ａを備えることにより、所望の記録層である記録層１０１ａからの反射光に、他の記録層である記録層１０１ｂからの反射光が迷光として加わった際、記録層１０１ｂからの反射光のうち単位面積当たりの光量が大きい光、すなわち非点収差変調部５ａを通過する記録層１０１ｂからの反射光に非点収差を発生させて、記録層１０１ｂからの反射光のうち光量が大きい光を、特定の受光領域である受光領域１２，１６に入射させないので、記録層１０１ａからの反射光によって受光領域１２，１３上に形成されるスポットの干渉縞を発生させない。その結果、厚み方向に複数の記録層を持つ光ディスク１０１に対してトラッキング調整を行う場合であっても、受光領域１２，１３の受光面上に投影される記録層１０１ａからのスポットに干渉縞を発生させないので、トラッキング制御に用いる信号の精度を上げてトラッキング制御の精度を高めることができる光ピックアップ装置を実現できる。また、対物レンズ５の光ディスク１０１と対向する面に非点収差変調部５ａを配置するので、光学部品群に入る直前、すなわちＯＥＩＣ７から光路上最も遠い位置で、非点収差変調手段５ａを通過する記録層１０１ｂからの反射光に非点収差を発生させることができ、記録層１０１ａからの反射光によって特定の受光領域１２，１３上に形成されるスポットに対して確実に干渉縞を発生させない。
【００５４】
また本発明は、図６に示すように、ＯＥＩＣ７が直線状に配置された３つの受光領域１１，１２，１３から形成され、非点収差変調部５ａを通過した光ディスク１０１からの反射光が略楕円形状であり、その略楕円形状の長径方向が３つの受光領域１１，１２，１３を結ぶ直線に対して略４５°の傾きを有するものとした。これにより、所望の記録層である記録層１０１ａからの反射光に他の記録層である記録層１０１ｂからの反射光が迷光として加わった際、記録層１０１ｂからの反射光のうち単位面積当たりの光量が大きい光、すなわち非点収差変調部５ａを通過する記録層１０１ｂからの反射光に非点収差を発生させて、記録層１０１ｂからの反射光のうち光量が大きい光を、対物レンズ５のトラッキング制御に用いる信号の基になるレーザ光を受光する特定の受光領域１２，１３に入射させないので、記録層１０１ａからの反射光によって受光領域上に形成されるトラッキング制御信号を生成する上で重要な特定の受光領域１２，１３上に形成されるスポットに対して確実に干渉縞を発生させない。その結果、厚み方向に複数の記録層を持つ光ディスクに対してトラッキング調整を行う場合であっても、受光領域１２，１３の受光面上に投影される記録層１０１ａからのスポットに干渉縞を発生させないので、トラッキング制御に用いる信号の精度を上げてトラッキング制御の精度を高めることができる光ピックアップ装置を実現できる。
【００５５】
なお、本実施の形態１では、一例として、光ディスク１０１がその厚み方向に２つの記録層を持つものについて説明したが、これに限定されるものではなく、光ディスク１０１が３層以上の記録層を持つものについても適用可能である。
【００５６】
図７は、本発明の実施の形態１における光ピックアップ装置を用いた光ディスク装置を示す図である。図７において、２００は筐体，２００ａは上部筐体部，２００ｂは下部筐体部，２０１はトレイ，２０２はスピンドルモータ，２０３は光ピックアップ，２０４はベゼル，２０５は出没口，２０６はレール，２０７はレール，２０８はイジェクトスイッチ，２０９はキャリッジである。なお、本実施の形態１における回転駆動手段はスピンドルモータ２０２，移動手段はキャリッジ２０９である。
【００５７】
筐体２００は、上部筐体部２００ａと下部筐体部２００ｂを組み合わせて構成されている。なお、上部筐体部２００ａと下部筐体部２００ｂとは螺旋などを用いて、互いに固着されている。トレイ２０１は筐体２００に出没自在に設けられ、トレイ２０１の中央付近にスピンドルモータ２０２が設けられている。
【００５８】
光ピックアップ２０３は、光ディスク１０１に情報の記録または再生の少なくとも一方を行う。また、光ピックアップ２０３は、光ディスクの半径方向に移動可能に保持されたキャリッジ２０９に搭載され、キャリッジ２０９は光ピックアップ２０３をスピンドルモータ２０２に対して近づけたり遠ざけたりする。
【００５９】
ベゼル２０４はトレイ２０１の前端面に設けられ、トレイ２０１が筐体２００内に収納されたときに、トレイ２０１の出没口２０５を塞ぐように構成されている。
【００６０】
レール２０６，２０７は、それぞれトレイ２０１及び筐体２００の双方に摺動自在に取り付けられ、トレイ２０１の両側部にこのレール２０６，２０７は設けられており、このレール２０６，２０７にて矢印Ｐ方向に筐体２００からトレイ２０１が出没自在になるように取り付けられている。
【００６１】
トレイ２０１の前端面に設けられたベゼル２０４にはイジェクトスイッチ２０８が設けられており、このイジェクトスイッチ２０８を押すことで、筐体２００に設けられた係合部（図示せず）とトレイ２０１に設けられた係合部（図示せず）との係合を解除する。
【００６２】
図７に示す光ディスク装置に、本発明の光ピックアップ装置を搭載することにより、所望の記録層からの反射光に他の記録層からの反射光が迷光として加わった際、他の記録層からの反射光のうち単位面積当たりの光量が大きい光、すなわち他の記録層からの反射光のうち非点収差発生手段を通過する反射光に非点収差を発生させて、他の記録層から反射光のうち光量が大きい光を特定の受光領域に入射させないので、所望の記録層からの反射光によって特定の受光領域上に形成されるスポットに干渉縞を発生させない。その結果、厚み方向に複数の記録層を持つ光ディスクに対してトラッキング調整を行う場合であっても、受光手段の受光面上に投影される所望の記録層からのスポットに干渉縞を発生させないので、トラッキング制御に用いる信号の精度を上げてトラッキング制御の精度を高めることができる光ディスク装置を実現できる。
【産業上の利用可能性】
【００６３】
本発明は、厚み方向に複数の記録層を持つ光ディスクに対してトラッキング調整を行う場合であっても、他の記録層からの反射光のうち単位面積当たりの光量が大きい光に非点収差を発生させて、他の記録層から反射光のうち光量が大きい光を特定の受光領域に入射させないので、トラッキング制御に用いる信号の精度を上げてトラッキング制御の精度を高めることができる光ピックアップ装置を提供することを目的とする。
【図面の簡単な説明】
【００６４】
【図１】本発明の実施の形態１における光ピックアップ装置の構成図
【図２】本発明の実施の形態１における対物レンズの上面と側面を示す図
【図３】本発明の実施の形態１における対物レンズの上面と断面を示す図
【図４】本発明の実施の形態１における所望の記録層からの反射光と他の記録層からの反射光とが同時に分割素子に入射する様子を示す図
【図５】本発明の実施の形態１における所望の記録層からの反射光と他の記録層からの反射光とが同時に検出レンズに入射する様子を示す図
【図６】本発明の実施の形態１における所望の記録層からの反射光と他の記録層からの反射光とが同時に受光部に入射する様子を示す図
【図７】本発明の実施の形態１における光ピックアップ装置を用いた光ディスク装置を示す図
【図８】所望の記録層からの反射光と他の記録層からの反射光とが同時に受光部に入射する様子を示す図
【符号の説明】
【００６５】
１    光源
２    回折格子
３    コリメータレンズ
４    分割素子
５    対物レンズ
５ａ    非点収差変調部
５ｄ    集光部
５ｅ    レンズコバ部
６    検出レンズ
７    ＯＥＩＣ
１１，１２，１３    受光領域
１４，１５，１６，１７，１８，１９    領域
４１ａ，４１ｂ，４２ａ，４２ｂ，４３ａ，４３ｂ，４４ａ，４４ｂ    領域
６１ａ，６１ｂ，６２ａ，６２ｂ，６３ａ，６３ｂ，６４ａ，６４ｂ    領域
１０１    光ディスク
１０１ａ    記録層
１０１ｂ    記録層
２００    筐体
２００ａ    上部筐体部
２００ｂ    下部筐体部
２０１    トレイ
２０２    スピンドルモータ
２０３    光ピックアップ
２０４    ベゼル
２０５    出没口
２０６    レール
２０７    レール
２０８    イジェクトスイッチ
２０９    キャリッジ
【図１】
2010129133.tif 000003
【図２】
2010129133.tif 000004
【図３】
2010129133.tif 000005
【図４】
2010129133.tif 000006
【図５】
2010129133.tif 000007
【図６】
2010129133.tif 000008
【図７】
2010129133.tif 000009
【図８】
2010129133.tif 000010